(57)【特許請求の範囲】
【請求項１】
ワイパブレード（１１５）用のパッケージ（１００）であって、
直方体形状の折り箱（１０５）と、
前記ワイパブレード（１１５）を収容するためのものであって、かつ前記折り箱（１０５）内に収容される中間パッケージ（１１０）と、を有しており、
前記中間パッケージ（１１０）は、
平らな材料（１５５）から折り曲げによって製造可能であり、
前記折り箱（１０５）の内側面に接触する互いに平行な２つの長辺側（１２０，１３０，４１０）を有しており、
さらに、前記中間パッケージ（１１０）内における前記ワイパブレード（１１５）の傾倒を阻止するために、側部の支持装置（１２５，２２５，４２５，５２５，６２５）を有しており、
前記中間パッケージ（１１０）はＶ字形の横断面を有しているか、又は
前記中間パッケージ（１１０）は、１つの長辺側において開放していて、横断面を取り囲む帯封（２２０）を有しているか、又は
前記中間パッケージ（１１０）は、Ｕ字形の横断面を有する第１のエレメント（２０５）と、第２のエレメント（２１０）とを有しており、該第２のエレメント（２１０）は、交互に連続する鉛直部分と水平部分とを備えた横断面を有しており、中央部分を中心にして対称的に配置されており、前記第２のエレメント（２１０）の中央部分は、前記第１のエレメント（２０５）の中央部分に接触しているか、又は
前記中間パッケージ（１１０）の横断面は、Ｍ字形の底部分（４０５）を有しているか、又は
前記中間パッケージ（１１０）は、前記ワイパブレード（１１５）の両端部のためのプリズム形の載置部（５１５）を有しており、この場合該載置部（５１５）はそれぞれ、前記ワイパブレード（１１５）を支持するためのＶ字形の切欠き（５２０）を有しているか、又は
前記中間パッケージ（１１０）は長手方向に延びる２つの折り目（６０５）を備え、前記中間パッケージ（１１０）はＵ字形であり、前記折り目（６０５）が２つのＵ字形の屈曲部を形成し、前記折り目（６０５）の領域においてそれぞれ内側に向けられたＬ字形の支持エレメント（６２５）を有し、前記Ｌ字形の支持エレメント（６２５）のＬ字形の屈曲部が前記折り目（６０５）によって形成されている
ことを特徴とする、ワイパブレード（１１５）用のパッケージ（１００）。
【請求項２】
前記中間パッケージ（１１０）は、前記ワイパブレード（１１５）を１つの長辺側（１３０）から収容するように構成されている、請求項１記載のパッケージ（１００）。
【請求項３】
前記折り箱は、前記ワイパブレード（１１５）を備えた前記中間パッケージ（１１０）を１つの端面側から収容するように構成されている、請求項１又は２記載のパッケージ（１００）。
【請求項４】
前記折り箱（１０５）は、２つの中間パッケージ（１１０）を収容するように構成されている、請求項１から３までのいずれか１項記載のパッケージ（１００）。
【発明の詳細な説明】
【技術分野】
【０００１】
本発明は、ワイパブレード用のパッケージに関する。本発明は特に、折り曲げ可能な材料から製造可能な、ワイパブレード用の２部分から成るパッケージに関する。
【０００２】
従来の技術
自動車のワイパシステム用のワイパブレードは、定期的に交換することが望ましい消耗品である。汎用の自動車の寸法が種々異なっていること及び自動車に設置されるワイパシステムが種々様々であることに基づいて、種々様々な多数のワイパブレードが存在しており、これらのワイパブレードから交換時には、それぞれの自動車のために適合したワイパブレードを選択する必要がある。ワイパブレード用の販売箇所、例えばガソリンスタンド、建築資材などを販売している店の専門コーナ又は自動車サービスポイントにおいて、ワイパブレードを等しい品質で十分に提供できるようにするために、運搬中及び在庫中に十分に保護されるように、ワイパブレードを包装することが必要である。さらに、包装された多数のワイパブレードは、保管及び運搬を容易にするために、システマティックに積み重ね可能であることが望まれている。最後に、１つずつ包装されたワイパブレードと対を成して包装されたワイパブレードとを、類似のもしくは互いに適合したパッケージにおいて包装すると有利である。パッケージは、ワイパブレードを長い保管時間においても確実に保護することが望ましい。特にジョイントのないワイパブレードは、保管による損傷を可能な限り排除するように、パッケージによって支持されていることが望ましい。
【０００３】
ゆえに本発明の課題は、ワイパブレードのこのようなパッケージを提供することである。
【０００４】
この課題は、本発明によれば独立請求項に記載の特徴的な構成を備えたパッケージによって解決される。好適な態様は、従属請求項に記載されている。
【０００５】
発明の開示
本発明に係るワイパブレード用のパッケージは、直方体形状の折り箱と、ワイパブレードを収容するためのものであって、かつ折り箱内に収容される中間パッケージと、を有している。この場合中間パッケージは、平らな材料から折り曲げによって製造可能であり、折り箱の内側面に接触する互いに平行な２つの長辺側を有している。さらに、中間パッケージは、該中間パッケージ内におけるワイパブレードの傾倒を阻止するために、側部の支持装置を有している。
【０００６】
中間パッケージを用いて、品数の多様性の枠内で長さ、高さ又は幅が様々に異なっているワイパブレードを、同様な形式で包装することが可能であり、これによって一方では、包装されたワイパブレードが最適に保護され、かつ他方では、包装された複数のワイパブレードを同様な形式で配置することもしくは取り扱うことが可能である。これによって保管、運搬並びに、選択もしくは販売のための提供を、容易にすることができる。
【０００７】
本発明の態様では、中間パッケージはＶ字形の横断面を有している。このように構成されていると、Ｖ字の両方の脚は、ワイパブレードの側部に密着することができ、簡単かつ効果的に、ワイパブレードを横方向もしくは側部において支持することができる。Ｖ字形の横断面の開放した上側におけるワイパブレードの挿入は、簡単に行うことができる。
【０００８】
本発明の別の態様では、中間パッケージは、１つの長辺側において開放していて、横断面を取り囲む帯封を有している。帯封は好ましくは中間パッケージのように、平らで折り曲げ可能な材料、特に薄紙、厚紙又は相応の派生品から製造可能である。これによって中間パッケージ内におけるワイパブレードの自動化された固定を、容易にすることができる。さらに、ワイパブレードを収容した中間パッケージを折り箱から取り出す間に、ワイパブレードを特別に価値があるように呈示することができる。
【０００９】
別の態様では、中間パッケージは、Ｕ字形の横断面を有する第１のエレメントと、第２のエレメントとを有しており、該第２のエレメントの横断面は、交互に鉛直な部分と水平な部分とを有していて、第２のエレメントは、第１のエレメントの脚の間において該第１のエレメントに接触している中央部分に関して、対称的である。この態様は、特に上に述べた態様と組み合わせることができる。それとは択一的に、第１のエレメントが、第１のエレメントを長辺側において閉じることができる追加的な部分を有するような態様も可能である。これによって、中間パッケージ内に収容されたワイパブレードに対する保護作用を、さらに高めることが可能である。
【００１０】
さらに別の態様では、中間パッケージの横断面は、Ｍ字形の底部分を有している。Ｍ字形の底部分によって側部における支持作用を簡単かつ確実に得ることができる。中間パッケージの追加的な部分は、横断面に方形の外面形状を与えるために、ワイパブレードの周りに階段状に設置されてもよい。
【００１１】
別の態様では、中間パッケージは、ワイパブレードの両端部のためのプリズム形の載置部を有しており、この場合該載置部はそれぞれ、ワイパブレードを支持するためのＶ字形の切欠きを有している。プリズム形の載置部は、中間パッケージの材料を横方向に折ることによって容易に製造することができる。このような切欠きは、種々様々なワイパブレードに簡単に適合することができる。
【００１２】
別の態様では、中間パッケージは長手方向において２つの折り目を備えてＵ字形に形成されていて、折り目の領域においてそれぞれＬ字形の支持エレメントが内側に向かって折られている。このような支持エレメントは、種々様々なワイパブレードに容易に適合させることができる。このように構成されていると、さらに中間パッケージを方形の出発材料から裁断なしに折ることができる。
【００１３】
本発明の好適な態様では、中間パッケージは、ワイパブレードを１つの長辺側から収容するように構成されている。特にワイパブレードを上から中間パッケージに挿入することができる。これによって、ワイパブレードの自動化された製造及び包装を容易にすることができる。
【００１４】
さらに別の好適な態様では、折り箱は、２つの中間パッケージを収容するように構成されている。これによって、一台の自動車に対を成して必要なワイパブレードを、より容易に合理的に管理することができる。ただ１つの中間パッケージだけを収容するための別の折り箱は、その高さが第１の折り箱の幅に相当するように形成することができる。
【００１５】
次に図面を参照しながら本発明の実施の形態について詳説する。
【図面の簡単な説明】
【００１６】
【図１】第１実施形態による、ワイパブレード用のパッケージ及び包装方法を示す図である。
【図２】第２実施形態による、ワイパブレード用のパッケージ及び包装方法を示す図である。
【図３】第３実施形態による、ワイパブレード用のパッケージ及び包装方法を示す図である。
【図４】第４実施形態による、ワイパブレード用のパッケージ及び包装方法を示す図である。
【図５】第５実施形態による、ワイパブレード用のパッケージ及び包装方法を示す図である。
【図６】第６実施形態による、ワイパブレード用のパッケージ及び包装方法を示す図である。
【００１７】
実施の形態の詳細な説明
以下において、１つのワイパブレードもしくは一対のワイパブレード用のパッケージの６つの異なった実施形態について、より詳細に説明する。各パッケージには、中間パッケージを折り曲げ可能な平らな材料から形成し、ワイパブレードを中間パッケージに挿入し、かつ中間パッケージをワイパブレードと一緒に折り箱内に包装するための方法が、それぞれ対応している。パッケージの実施形態は、以下の図面においてそれぞれ左側に示され、方法は右側に略示されている。各実施形態における表示の仕方は、すべての図においてほぼ同じである。
【００１８】
種々様々な実施形態の中間パッケージの特徴は、全体的に互いに組合せ可能である。所属の方法ステップは、このような場合、当業者には以下の説明から容易に分かるように、場合によっては相応に適合されねばならない。
【００１９】
図１には左側に、ワイパブレード用のパッケージ１００の第１実施形態が示されている。このパッケージ１００は、直方体形状の折り箱１０５と中間パッケージ１１０とを有している。折り箱１０５は、任意の方法によって製造可能であり、その内容物のプリント又はその他のマークを有することが可能である。中間パッケージ１１０はそのために、ワイパブレード１１５を収容し、かつワイパブレード１１５と一緒に折り箱１０５内に収容されるように構成されている。図１の上側領域において左から右に向かって、ワイパブレード１１５を備えた中間パッケージ１１０と、中間パッケージ１１０及びワイパブレード１１５を備えた第１の折り箱１０５と、２つの中間パッケージ１１０及び２つのワイパブレード１１５を備えた第２の折り箱１０５とが示されている。図１の下側領域には、中間パッケージ１１０及びワイパブレード１１５を備えた第１の折り箱１０５及び第２の折り箱１０５が横断面図で示されている。この場合ワイパブレード１１５の横断面は単に象徴的に示されているだけである。
【００２０】
中間パッケージ１１０は、Ｖ字形の、又は図示の実施形態では、先端を切り落とされて、台形の横断面を有している。中間パッケージ１１０の底部分の両側には、各１つのサイド部分１２５が配置されている。１つ又は好ましくは両方のサイド部分１２５は、その延長部において蓋部分１３０として、底部分１２０に対して平行に折られている。この場合互いに接触している蓋部分１３０は互いに面で接着されていてよい。
【００２１】
図１において右側には、パッケージ１００内にワイパブレード１１５を包装するための方法１５０が示されている。出発材料としては、平面体（Plano）１５５と呼ばれる折り曲げ可能な平らな材料が使用される。この平面体１５５は、特に厚紙、ボール紙、薄紙、パルプ又はプラスチックから成っていてよい。平面体１５５は好ましくは、予め設定された箇所において折り目を有しており、これによって、そこで次いで容易に折ることができるようになっている。
【００２２】
第１のステップ１６０において平面体１５５は、Ｖ字形もしくは、面取りされたプリズムの形に折られる。次いで、ステップ１６５においてワイパブレード１１５が、上部がまだ開放している中間パッケージ１１０内に挿入される。
【００２３】
次のステップ１７０において中間パッケージ１１０の蓋部分１３０が、内方に向かって折られ、これによって蓋部分１３０は互いに接触する。この場合好ましくは、両蓋部分１３０は、互いに接着剤を用いて接着される。
【００２４】
追加的なステップ１７５において、ワイパブレード１１５を挿入された複数の中間パッケージ１１０が集められる。特に、この集合動作は、１つの製造ラインの待ち行列又はトレイにおける中間パッケージ１１０の準備を包含することができる。
【００２５】
次いで、ワイパブレード１１５を備えた中間パッケージ１１０が、折り箱１８０のうちの１つに導入される。この場合導入は、好ましくは端面側から行われる。そのために折り箱１０５は、複数の中間パッケージ１１０を収容するように構成されていて、これにより他の中間パッケージ１１０も折り箱１０５内に導入される。次いで、完全に包装されたワイパブレード１１５がステップ１８５において準備される。
【００２６】
図２には、第２実施形態によるパッケージ１００と、このパッケージ１００内にワイパブレード１１５を包装するための方法２５０が示されている。
【００２７】
図示の実施形態では、中間パッケージ１１０は、第１のエレメント２０５と第２のエレメント２１０とを有している。第１のエレメント２０５は、Ｕ字形の横断面を有していて、この場合好ましくは２つの折り目だけが長手方向に延びている。第２のエレメント２１０は、交互に連続する鉛直部分と水平部分とを備えた横断面を有しており、これらの部分は中央部分を中心にして対称的に配置されている。この中央部分は、好ましくは第１のエレメント２０５の中央部分に接触している。第２のエレメント２１０の最外位の鉛直部分は、好ましくは第１のエレメント２０５のサイド部分の内側面に接触している。
【００２８】
別の実施形態では、第１のエレメント２０５と第２のエレメント２１０とが互いに一体に結合されていてよい。図示の横断面では、中間パッケージ１１０のための一体の材料の両端部が合わせ目（Stoss）２１５において互いに合致していてよい。合わせ目２１５は好ましくは、さもないと折り目又は折り曲げ部が位置している領域に配置されている。
【００２９】
方法２５０もまた平面体１５５から始まり、この平面体１５５は、第１ステップ２６０において折られ、次のステップ２６５において部分的に接着される。両方のステップは、互いにまとめて実施することができる。次いで、折られて部分的に接着された平面体１５５は、なお平らな形状を有している。
【００３０】
次のステップ２７０において、平面体１５５は開かれて中間パッケージ１１０が形成され、これによって突出部２２５が生ぜしめられる。その後でワイパブレード１１５がステップ２７２において上から中間パッケージ１１０内に挿入され、これによってワイパブレード１１５は、突出部２２５によって側部を支持される。
【００３１】
次のステップ２７５において、単数又は複数の帯封２２０が、中間パッケージ１１０を横方向において取り囲むように中間パッケージ１１０に取り付けられる。帯封２２０は、ワイパブレード１１５が中間パッケージ１１０から脱落することを阻止し、かつ中間パッケージ１１０の安定した形状を保証する。
【００３２】
さらに続くステップ２８０，２８５，２９０は、図１のステップ１７５，１８０，１８５に対応している。
【００３３】
図３には、第３実施形態によるパッケージ１００と、パッケージ１００内にワイパブレード１１５を包装する方法３５０が示されている。この実施形態が、図２に示した実施形態と異なっているのは次の点にある。すなわち図３の実施形態では、中間パッケージ１１０を閉鎖するために、上側において帯封２２０が使用されるのではなく、第１のエレメント２０５が蓋部分１３０を有していて、この蓋部分１３０によって中間パッケージ１１０の上側を閉鎖することができる。好適な実施形態では蓋部分１３０は、第１のエレメント２０５のサイド部分１２５との接着のために働く舌片を有している。
【００３４】
この実施形態においても第１のエレメント２０５と第２のエレメント２１０とは、一体に形成されていてよい。この場合しかしながら通常のように中間パッケージ１１０の材料の両端部は、互いに接触しておらず、ひいては合わせ目２１５を形成していない。
【００３５】
従って、方法３５０のステップ３６０〜３９０は、図２に示した方法２５０のステップ２６０〜２９０に対応している。ステップ３７５だけが例外であり、このステップ３７５においては、帯封が取り付けられるのではなく、第１のエレメント２０５の蓋部分１３０が、中間パッケージ１１０の上側の開口の上に折り被せられるようになっている。好ましくは、蓋部分１３０は舌片を有していて、この舌片は、同じステップにおいて対応するサイド部分１２５と接着されてもよい。
【００３６】
図４には、第４実施形態による別のパッケージ１００と、パッケージ１００内にワイパブレード１１５を包装する方法４５０が示されている。
【００３７】
この実施形態では中間パッケージ１１０の横断面は、底部分４０５を有していて、この底部分４０５には２つのサイド部分４１０が接続されていて、両サイド部分４１０は、蓋部分４１５を用いて互いに結合されている。サイド部分４１０のうちの１つは、好ましくは、中間パッケージ１１０を接着するための舌片４２０を有している。
【００３８】
中間パッケージ１１０の横断面で見て、底部分４０５はＭ字形に折られており、これによって２つのプリズム形の突出部４２５が生ぜしめられており、両突出部４２５の間には、ワイパブレード１１５の狭幅側が位置していてよい。底部分４０５の１つの側は、水平方向において反対側の端部に向かって戻るように延びていて、９０°折り曲げられて第１のサイド部分４１０に移行している。別の折り曲げ部においてサイド部分４１０は、蓋部分４１５に移行し、この蓋部分４１５はさらに別の折り曲げ部によってサイド部分４１０へと移行する。このサイド部分４１０には、さらに折り曲げられて舌片４２０が接続している。
【００３９】
方法４５０はステップ４６０で始まっており、このステップ４６０において底部分４０５は、Ｍ字形に折られる。次いでステップ４６５において、ワイパブレード１１０が上から底部分４０５の両突出部４２５の間に挿入される。
【００４０】
次のステップ４７０において、平面体１５５の残りの部分がワイパブレード１１０を取り囲むように折られ、これによって横断面が閉じられ、舌片４２０は底部分４０５に接触する。この場合好ましくは、舌片４２０は底部分４０５に接着される。ステップ４７５，４８０，４８５は、図３に示した方法３５０のステップ３８０〜３９０に対応している。
【００４１】
図５には、第５実施形態によるパッケージ１００と、パッケージ１００内にワイパブレード１１５を包装する方法５５０が示されている。
【００４２】
この実施形態における特徴は次のことにある。すなわちこの場合、中間パッケージ１１０の材料は横断面で見てワイパブレード１１５の周りを一周して延びており、この場合舌片５０５は、オーバラップし、追加的に接着されるようになっている。ワイパブレード１１５の両端部の領域において、平面体１５５の各１つの部分５１０が長手方向において内方に向かって折られていて、これによって横方向に位置するプリズム形の載置部５１５が形成されている。この載置部５１５には各１つの切欠き（Kerbe）５２０が設けられていて、この切欠き５２０に、ワイパブレード１１５の狭幅部分を収容することができる。切欠き５２０によって載置部５１５は２つの支持エレメント５２５に分割される。
【００４３】
方法５５０では、方形とは異なった形状の平面体１５５を起点として始まる。この場合、最初は突出している２つの部分５３０が設けられており、両部分５３０は、第１のステップ５６０において、プリズム形の載置部５１５を形成するために長手方向において折られる。切欠き５２０は好ましくは、ステップ５６０において折られる前に、平面体１５５において切り抜きとして設けられている。
【００４４】
ステップ５６５においてワイパブレード５１５は、上から切欠き５２０内に挿入され、これによってワイパブレード１１５は支持エレメント５２５に支持されている。後続のステップ５７０において、平面体１５５の残っている部分は、長手方向においてワイパブレード１１５を取り囲むように折られ、その結果中間パッケージ１１０の横断面は閉じられる。このような折り動作を可能にするために、平面体１５５における部分５３０の種々異なったポジションが可能である。
【００４５】
中間パッケージ１１０は、好ましくは同時に舌片５０５の領域において接着される。後続のステップ５８０，５８５，５９０は、図４に示した方法４５０のステップ４７５，４８０，４８５に対応している。
【００４６】
図６には、第６実施形態によるパッケージ１００と、パッケージ１００内にワイパブレード１１５を包装する方法６５０が示されている。
【００４７】
図６に示した実施形態は、図２に示した第２の実施形態に似ており、この場合、中間パッケージ１１０が一体であり、かつ横断面において単層であるという相違点がある。中間パッケージ１１０は、方形の平面体１５５から製造可能である。中間パッケージ１１０は横断面がＵ字形であり、長手方向に延びる２つの折り目６０５を有している。両方の折り目６０５の領域には、支持エレメント６２５が形成されていて、これらの支持エレメント６２５は、膝のような屈曲部形状に、中間パッケージ１１０の内側に向かって平面体１５５から折り出されている。支持エレメント６２５は、ワイパブレード１１５の狭幅の端部の両側を側部において支持するようになっている。
【００４８】
方法６５０は第１のステップ６６０において始まり、この第１のステップ６６０で、方形の平面体１５５はただ１回の作業工程でＵ字形に折られ、支持エレメント６２５が折り出される。次いでステップ６６５において、ワイパブレード１１５が上からＵ字形の中間パッケージ１１０内に挿入される。
【００４９】
図２に示した方法２５０のステップ２７６に対応する後続のステップ６７０において、帯封２２０が取り付けられ、これによってワイパブレード２１５を中間パッケージ１１０内において安定させることができる。後に続くステップ６７５，６８０，６８５は、ステップ５８０，５８５，５９０に対応している。
【図１】
0006042535.tif 000002
【図２】
0006042535.tif 000003
【図３】
0006042535.tif 000004
【図４】
0006042535.tif 000005
【図５】
0006042535.tif 000006
【図６】
0006042535.tif 000007